(57)【要約】【課題】小さな握力でもカップなどの対象物が収容されたホルダーを把持することができるホルダーを提供する。【解決手段】本発明は、ホルダーに関する。本発明のホルダーは、内部に対象物が収容されて支持される中空部が形成されるホルダー胴体、及び、前記ホルダー胴体の外周面から突設され、前記ホルダー胴体を把持した手の上方への滑りを防止する突出部を備えてなる。【選択図】図１
2009113864.tif 000002
【特許請求の範囲】
【請求項１】
内部に対象物が収容されて支持される中空部が形成されたホルダー胴体と、前記ホルダー胴体の外周面から突設され、前記ホルダー胴体を把持した手の上方への滑りを防止する突出部とを備えることを特徴とするホルダー。
【請求項２】
前記突出部が複数設けられて、前記ホルダー胴体の外周面において円周方向に並ぶように形成されることを特徴とする請求項１に記載のホルダー。
【請求項３】
前記ホルダー胴体には、水平方向に対して交差する方向に切り開かれ、互いに円周方向に離隔して配設される複数の切れ目と、前記複数の切れ目の上端を連結する第１の突出部用折り目と、前記切れ目の下端を連結する第２の突出部用折り目と、前記第１の突出部用折り目と前記第２の突出部用折り目との間に設けられ、前記複数の切れ目を連結する第３の突出部用折り目とが形成され、
前記突出部は、前記第３の突出部用折り目が前記ホルダー胴体の外周面から突出するように前記第１の突出部用折り目乃至第３の突出部用折り目に沿って折り曲げ形成されることを特徴とする請求項１に記載のホルダー。
【請求項４】
前記第１の突出部用折り目及び第２の突出部用折り目は、水平方向に設けられ、前記切れ目は、前記折り目に対して垂直または斜め方向に切り開かれるか、直線または曲線或いはこれらの組合で切り開かれるように形成されることを特徴とする請求項３に記載のホルダー。
【請求項５】
前記中空部が形成されるホルダー胴体は、展開型ホルダーの片面または両面に形成される接着部で接着されてなることを特徴とする請求項１に記載のホルダー。
【請求項６】
前記中空部が形成されたホルダー胴体は、展開型ホルダー胴体の右端側の上部から下部へ一定の長さで切り開かれた第１のスロットで形成される第１の結合部と、前記展開型ホルダー胴体の左端側の下部から上部へ一定の長さで切り開かれた第２のスロットで形成される第２の結合部とを結合してなることを特徴とする請求項１に記載のホルダー。
【請求項７】
前記ホルダー胴体には、対象物表面露呈部がさらに設けられることを特徴とする請求項１に記載のホルダー。
【請求項８】
前記ホルダー胴体には、垂直方向に設けられ、互いに向かい合う胴体折り用の折り目が形成されることを特徴とする請求項１に記載のホルダー。
【請求項９】
前記対象物は、カップであることを特徴とする請求項１に記載のホルダー。
【請求項１０】
前記対象物は、食べ物または飲み物であることを特徴とする請求項１に記載のホルダー。
【発明の詳細な説明】
【技術分野】
【０００１】
本発明は、内部に内容物が収容されて支持されるホルダーに関し、特に、ホルダー胴体の外周面に突出部が設けられることで前記ホルダー胴体を把持した手の上方への滑りを防止することができるホルダーに関する。
【背景技術】
【０００２】
取手のない、例えば、使い捨て紙カップなどは、使い易さの点から、場所にかかわらず広く使用されている。しかし、このような使い捨ての紙カップまたはプラスティックカップは、その外周面に取手が設けられていないため、熱い飲料を飲む時にも、手でカップを持って飲んでいる実情である。それで、コーヒーのような熱い飲料を飲む場合、取手がないので手でカップを持って飲むには、内容物の温度が下がるまで待ってから飲むことがあり、飲料固有の味を楽しむことが難しいという問題点がある。このような理由から、最近、テイクアウトの珈琲店などでは、カップが内部に収容される、手で持つことのできるカップホルダーが提供されている。
【０００３】
しかし、従来のカップホルダーでは、支持部、取手などがないため、カップホルダーが手から滑り落ちない程度の握力でカップホルダーを把持する必要があるが、このような場合、カップが圧縮変形して飲料が溢れ出てしまい、手、衣服または地面などを汚染するという問題点がある。特に、テイクアウトコーヒーなどのカップを持って歩く場合、通常、片手または肩にカバンをかけていることが多いため、内容物があふれ出ないようにするには、カップや手に細心の注意を払う必要があるという不都合がある。
【発明の開示】
【発明が解決しようとする課題】
【０００４】
本発明は、前述のような問題に鑑みてなされたものであって、本発明の目的は、小さな握力でもカップなどの対象物が収容されたホルダーを把持することができるホルダーを提供することにある。
【課題を解決するための手段】
【０００５】
上記の目的を達成するための本発明に係るホルダーは、内部に対象物が収容されて支持される中空部が形成されたホルダー胴体、及び、前記ホルダー胴体の外周面から突設され、前記ホルダー胴体を把持した手の上方への滑りを防止する突出部を備えてなる。
【０００６】
本発明の一実施形態によれば、前記突起部は、複数設けられて前記ホルダー胴体の外周面において円周方向に並ぶように形成される。
【０００７】
また、本発明の一実施形態によれば、前記ホルダー胴体には、水平方向に対して交差する方向に切り開かれ、互いに円周方向に離隔して配設される複数の切れ目と、前記複数の切れ目の上端を連結する第１の突出部用折り目と、前記切れ目の下端を連結する第２の突出部用折り目と、前記第１の突出部用折り目と前記第２の突出部用折り目との間に設けられ、前記複数の切れ目を連結する第３の突出部用折り目とが形成され、前記突出部は、前記第３の突出部用折り目が前記ホルダー胴体の外周面から突出するように前記第１の突出部用折り目乃至第３の突出部用折り目に沿って折り曲げ形成される。
【０００８】
さらに、本発明の一実施形態によれば、前記切れ目は、垂直または斜め方法に切り開かれ、第１の突出部用折り目及び第２の突出部用折り目は、水平方向に設けられている。
【０００９】
さらに、本発明の一実施形態によれば、前記ホルダー胴体には、垂直方向に設けられ、互いに向かい合う胴体折り用の折り目が形成されている。
【発明を実施するための最良の形態】
【００１０】
以下、添付の図面を参照して、本発明の一実施形態に係るホルダーの詳細を説明する。
【００１１】
図１を参照して、本発明の一実施形態に係るホルダーは、内部に対象物が収容されて支持される中空部２００を形成するホルダー胴体１００と、前記ホルダー胴体１００の外周面から突設され、前記ホルダー胴体１００を把持した手の上方への滑りを防止する滑り止め用の突出部１０とで構成されることができる。
【００１２】
前記ホルダー胴体１００においては、その内部に対象物が収容されて支持することができる中空部２００が形成される。よって、前記ホルダー胴体１００は、巻きまたは折り可能な、即ち、人の力で変形可能な紙、プラスティックなどで製造することができ、好ましくは、内部に収容されるカップの熱が把持した手へ伝達されないように、段ボール紙を使用することができる。前記紙などの板状素材は、巻き付けまたは折り畳みで前記ホルダー胴体１００をなすことができ、このような構造により、前記ホルダー胴体１００には、内部に中空部２００が形成されるようになり、この中空部２００に、カップのような対象物が収容されることができる。
【００１３】
前記中空部２００は、図２（ａ）に示されたように、展開型ホルダーの片面または両面に設けられた接着部３０で接着されることで形成される。その他、他の方法による結合部５０で前記ホルダー胴体１００内部の中空部２００を形成することもできる（図４参照）。
【００１４】
前記突出部１０は、前記ホルダー胴体１００の外周面から突出して形成されるものであって、１つの突出部１０であることができ、突出部１０は、ホルダー胴体の円周方向において全外周面にわたって形成されることもできるが、好ましくは、少なくとも２つの突出部が前記外周面に形成されることで、カップ１などの対象物を把持した手の滑りを防止することができる。また、前記突出部１０は、手の把持部分にのみ形成され、残りの部分には、対象物の表面が一部露呈されるように一定形状の窓が設けられることもできる（図７及び図８参照）。
【００１５】
前記突出部１０は、前記ホルダー胴体１００に付着して形成することができるが、好ましくは、ホルダー胴体１００の一部として形成されることができる。図２（ａ）に示されるように、前記ホルダー胴体１００には、水平方向に対して交差する方向に切り開かれ、互いに円周方向に離隔して配設される複数の切れ目２０と、前記複数の切れ目２０の上端を連結する第１の突出部用折り目２１と、前記切れ目の下端を連結する第２の突出部用折り目２２と、前記第１の突出部用折り目２１と前記第２の突出部用折り目２２との間に設けられ、前記複数の切れ目２０を連結する第３の突出部用折り目２３とが形成されるが、図２（ｃ）に示されるように、ホルダー胴体１００を円筒形として製作する場合、内部にカップ１などの対象物が収容されて支持されるように中空部２００が形成される。
【００１６】
また、前記突出部１０は、図５（ａ）のように形成されることもできる。図５（ｂ）を参照して、前記ホルダー胴体１００には、水平方向に対して交差する方向に切り開かれ、互いに円周方向に離隔して配設された複数の切れ目２０が設けられるが、この切れ目は、直線または曲線或いはこれらの組合で形成することができる。また、前記複数の切れ目２０の上端を連結する第１の突出部用折り目２１と、前記切れ目の下端を連結する第２の突出部用折り目２２と、前記第１の突出部用折り目２１と前記第２の突出部用折り目２２との間に配設され、前記複数の切れ目２０を連結する第３の突出部用折り目２３とが形成される。前記第３の突出部用折り目２３は、前記複数の切れ目２０を連結するが、一直線または水平方向でなく、斜めまたは曲線状に形成されることもできる（図５参照）。
【００１７】
前記中空部２００を形成するホルダーの前記第１の突出部用折り目２１と、前記第２の突出部用折り目２２とを連結する複数の切れ目２０は、図１のように上下方向の圧力で第３の突出部用折り目２３が突出するように、第１の突出部用折り目乃至第３の突出部用折り目２１、２２、２３を折り曲げることで前記ホルダー胴体１００の外周面から突き出た突出部１０を形成することができる。なお、本実施例とは異なり、前記突出部１０は、前記ホルダー胴体１００に付着して形成することもできる。
【００１８】
前記水平方向に対して交差する方向に切り開かれ、互いに円周方向に離隔して配設される複数の切れ目２０は、好ましくは、垂直方向に切り開かれるが、斜め方向に切り開かれることもできる。なお、前記切れ目２０は、切り開きによって、第１の突出部用折り目２１と第２の突出部用折り目２２と連結されて第３の突出部用折り目２３を突出するように折り曲げることができるものであれば、ジグザグ形、菱形、星形などの、様々な形状の曲線または直線状に切り開くことができ、切り開きによって特定の形状を持たせることもできる。即ち、切れ目の形状または形態に応じて様々なスタイルのホルダーを製作することができる（図６参照）。
【００１９】
前記第１の突出部用折り目及び第３の突出部用折り目は、好ましくは、水平方向であることができるが、斜め方向にすることもでき、また、波形、円周状などの曲線状であることができる。なお、その他の特定の形状または形態とすることもできる。
【００２０】
このように、突出部１０が形成されたホルダーは、図３のように使用することができる。本発明に係るホルダーの内部にカップ１などの対象物を収容する場合、ホルダー胴体１００によってカップ１が収容および支持され、ホルダーを把持して持ち上げると、上方への手の圧力でホルダー胴体１００の外周面から突出部１０がさらに突き出るようになる。よって、前記形成された突出部１０によってホルダー胴体を把持する手の上方への滑りを防止することができ、小さな力でも容易にカップを把持することができるため、有用である。
【００２１】
なお、前記ホルダー胴体１００には、広告や商標などの特定の形状、絵、色などを施すことができる。前記広告などは、ホルダー胴体１００内であれば、どこでも可能であるが、突出部１０の美的な効果を作り出すように、または、突出部１０の形成されないホルダー胴体部と突出部とを区別するように施されることができる。
【００２２】
また、前記ホルダー胴体１００には、対象物表面露呈部６０がさらに設けられることができる。前記対象物表面露呈部６０は、図７に示されるように、ホルダー内に収容されて使用されるカップまたはホルダーに収容される対象物の表面が露呈するように、ホルダー胴体の一定部分を切り開いて形成することができる。対象物表面露呈部６０は、長方形、菱形、六角形などの様々な形状または形態に切り開かれ、様々なスタイルのホルダーを製作することができる。対象物表面露呈部６０が形成されたホルダーによれば、ホルダーに収容されるカップの表面のデザイン、商標、絵柄などが外部から視認できるため、様々な美的な効果を演出することができ、デザインや商標をホルダーにさらに示す必要がないため、経済的な利点がある（図８参照）。このように、本発明のホルダーによれば、手軽にカップを把持することができると共に、カップなどの対象物表面の商標、デザインなどがホルダーによって隠されることなく、カップなどの対象物表面の商標などの広告効果を発揮するでき、また、美的な効果を作り出すことができる。なお、前記対象物表面露呈部６０は、透明なビニール、セロファンシートなどの透明な材料からなる基材でカバーすることができる。
【００２３】
また、前記ホルダー胴体１００には、垂直方向に設けられ、互いに向かい合う胴体折り用の折り目４０が形成されることができる。前記胴体折り用の折り目４０に沿ってホルダー胴体１００を折り畳むと、図２（ｂ）のように折り畳まれた状態でホルダーを保管・流通することができるため、省スペースが可能で便利である。
【００２４】
また、本発明の他の一実施形態によれば、前記ホルダー胴体１００は、図４に示されるように、ホルダー胴体の一部がカットされて形成された結合部の結合によって中空部を形成することもできる。前記結合部５０は、ホルダー胴体１００の右端側の上部から下部へ一定の長さでカットされた第１のスロット５１ａによって形成される第１の結合部５１及び前記ホルダー胴体１００の左端側の下部から上部へ一定の長さでカットされた第２のスロット５２ａによって形成される第２の結合部５２を含んでなることができる。
【００２５】
なお、本発明のホルダーに収容される対象物は、特に制限されないが、カップの他に、アイスクリームコーン、ピザなどの食べ物または飲み物であることができる。例えば、アイスクリームコーンのように別のカップを必要としないものでは、ホルダーだけで収容することができる。なお、ピザなどの場合は、別のカップなどに入れてホルダーに収容することができる。
【００２６】
アイスクリームコーンやピザなど、テイクアウト可能な食べ物は、通常、使い捨てカップに入れるか、使い捨て紙で包まれて販売されているが、アイスクリームが溶けたり、ピザの油やトッピングが落ちる場合、手や衣服が汚れたりするという短所がある。本発明のホルダーによれば、突出部によって小さな握力でホルダー胴体の内部に収容されるカップを支持することができると共に、ホルダー胴体の外周面に突出部を設けることによって、アイスクリームコーンや飲料などが手や衣服などを汚染することを防止することができ、有用である（図９、図１０参照）。
【００２７】
以上、本発明の実施形態について説明してきたが、本発明は上記の実施形態及び添付の図面によって限定されるものではなく、本発明の属する分野で通常の知識を有する者であれば、本発明の技術的な思想を逸脱しない範囲内で、置換、変形及び変更して実施することができる。
【産業上の利用可能性】
【００２８】
前述のように、本発明に係るホルダーは、ホルダー胴体に別の突出部を設けることによって、飲料などを容易に把持できると共に、手の上方への滑りを防止することができるため、使用上の便宜性が向上する。
【００２９】
また、前記突出部を前記ホルダー胴体の外周面において円周方向に複数個配設されるように形成することによって、使用上の便宜性がさらに向上する。
【００３０】
さらに、前記突出部は、前記ホルダー胴体の外周面から突き出るように第１の突出部用折り目乃至第３の突出部用折り目に沿って折り曲げ形成されることで、ホルダー胴体の一部として形成されることができ、製作が容易である。
【００３１】
また、前記ホルダー胴体は、垂直方向に形成され、互いに向かい合う胴体折り用の折り目に沿って折り畳むことができるため、省スペース化が可能であり、保管、流通、携帯が容易である。
【図面の簡単な説明】
【００３２】
【図１】本発明第１の実施例に係るホルダーを概略的に示す斜視図である。
【図２】（ａ）は、図１に示されたホルダーの概略的な展開図であり、（ｂ）は、図１に示されたホルダーが折り畳まれた状態を示す斜視図であり、（ｃ）は、図１に示されたホルダーのホルダー胴体の両端が付着されることで中空部が形成された状態を示す斜視図である。
【図３】図１に示されたホルダーに紙カップなどが収容された状態を示す使用状態図である。
【図４】本発明の第２の実施例に係るホルダーの概略的な展開図である。
【図５】（ａ）は、本発明の第３の実施例に係るホルダーを概略的に示す斜視図であり、（ｂ）は、（ａ）に示されたホルダーの概略的な展開図であり、（ｃ）は、（ｂ）に示されたホルダーのホルダー胴体の両端が付着されることで中空部が形成された状態を示す斜視図である。
【図６】（ａ）は、本発明の第４の実施例に係るホルダーを概略的に示す斜視図であり、（ｂ）は、（ａ）に示されたホルダーの概略的な展開図である。
【図７】（ａ）は、本発明の第５の実施例に係るホルダーの概略的な展開図であり、（ｂ）は、（ａ）に示されたホルダーを概略的に示す斜視図である。
【図８】図７（ｂ）に示されたホルダーに絵柄付きカップなどが収容される状態を概略的に示す使用状態図である。
【図９】図１に示されたホルダーにアイスクリームコーンが収容される状態を示す使用状態図である。
【図１０】図１に示されたホルダーにピザが収容される状態を示す使用状態図である。
【符号の説明】
【００３３】
１０    突出部
２０    切れ目
２１    第１の突出部用折り目
２２    第２の突出部用折り目
２３    第３の突出部用折り目
３０    接着部
４０    胴体折り用折り目
５０    結合部
５１    第１の結合部
５２    第２の結合部
５１ａ    第１のスロット
５２ａ    第２のスロット
６０    対象物表面露呈部
１００    ホルダー胴体
２００    中空部。
【図１】
2009113864.tif 000003
【図２】
2009113864.tif 000004
【図３】
2009113864.tif 000005
【図４】
2009113864.tif 000006
【図５】
2009113864.tif 000007
【図６】
2009113864.tif 000008
【図７】
2009113864.tif 000009
【図８】
2009113864.tif 000010
【図９】
2009113864.tif 000011
【図１０】
2009113864.tif 000012